(57)【要約】      （修正有）【課題】収納容器の各面に記載されている商品表示印刷（ＰＯＰ）等の商品情報を一目で確認することができる収納容器構造体を提供する。【解決手段】複数の収納容器１０Ａ、１０Ｂから構成される収納容器構造体１であって、収納容器が組み合わされることにより、収納容器構造体の表示面Ｄが形成され、収納容器の各面１２、１４に表示された情報が一体となって、収納容器に収納されている商品の商品情報が表示されていることを特徴とする。【選択図】図１
0003200700.tif 000002
【実用新案登録請求の範囲】
【請求項１】
複数の収納容器から構成される収納容器構造体であって、
前記収納容器が組み合わされることにより、前記収納容器構造体の表示面が形成され、
前記表示面に前記収納容器の各面に表示された情報が一体となって、前記収納容器に収納されている商品の商品情報が表示されていることを特徴とする収納容器構造体。
【請求項２】
前記収納容器は、上蓋部に吊り下げ用タブを備えていることを特徴とする請求項１に記載の収納容器構造体。
【請求項３】
前記収納容器は、全体が単一の型板で形成されていることを特徴とする請求項１又は２に記載の収納容器構造体。
【考案の詳細な説明】
【技術分野】
【０００１】
本考案は、収納容器構造体に関する。更に詳しくは、複数の収納容器から構成され、当該収納容器の各面に表示された商品表示印刷（ＰＯＰ）等の商品情報を一目で認識することができ、かつ、商品の陳列及び商品販売のためのディスプレイ効果を高めた収納容器構造体に関する。
【背景技術】
【０００２】
小売り等の商品販売者が商品を収納箱に収納して販売する場合がある。この収納箱には、収納されている商品の商品表示印刷（ＰＯＰ）等の商品情報が表示されていることが一般的である。商品情報には、例えば、その商品の識別標識である商標、商品の製造元、商品の品質、価格、機能、特徴等が含まれる。
【０００３】
商品販売者は、需要者が商品を購入する際に、より多くの商品表示印刷（ＰＯＰ）等の商品情報を表示して、需要者の購買意欲を刺激して、商品の購入を需要者に促す必要がある。例えば、商品がレインコートである場合には、レインコートの素材、レインコートが備えている耐水性、透湿性、防水性、撥水性を表示することが重要となる。また、バリエーションに富んだ色彩を備えたレインコートを表示することによって、レインコートがファッション性にも優れている商品であることをアピールすることが必要となる。さらには、いわゆる「クールジャパン」のキャッチフレーズにも象徴されるように商品が日本人の職人によって丁寧に造り上げられた商品であることを表示することは、商品を外国で販売する際にきわめて重要である。
【０００４】
すなわち、小売り等の商品販売者が多様化した需要者のニーズに対応した商品を効率良く販売するためには、収納箱に収納されている商品の商品情報をできるだけ詳細に表示し、効率良く陳列することが必要となる。また、小売り等の商品販売者が所有する店内スペースを最大限に活用し、商品を陳列し、販売するためのディスプレイ効果を高めることが必要となる。
【０００５】
例えば、製品の保管や運搬に用いられたあと、そのまま陳列に供することができ、長く利用することができる物品収納箱が提案されている（特許文献１）。かかる物品収納箱は、製品を陳列棚等に移し替える作業が不要で、簡単に陳列を行うことができるものである。しかしながら、物品収納箱に収納されているすべての商品情報を的確に把握することができ、かつディスプレイ効果を有するものとはなっていない。
【０００６】
なお、本件実用新案登録出願人は、上記文献公知考案が記載された刊行物として以下の刊行物を提示する。
【先行技術文献】
【特許文献】
【０００７】
【特許文献１】特開２００２−２１１５４７号公報
【考案の概要】
【考案が解決しようとする課題】
【０００８】
ところで、商品販売者が商品の販売を店舗にて行う場合は、限られた店舗スペースを有効に使用して、収納箱を陳列しなければならないという問題がある。例えば、限られた店舗スペースに棚を置いて、当該棚に複数の収納箱を陳列する場合がある。
【０００９】
棚の大きさ（たて×よこ×奥行き）と収納箱の大きさ（たて×よこ×奥行き）のバランスが悪い場合には、十分な数の収納箱を陳列することができない。また、棚の大きさ（たて×よこ×奥行き）と収納箱の大きさ（たて×よこ×奥行き）のバランスが良い場合は、収納箱が棚にぎっちり詰まっている状態となるため、収納箱に収納された商品を購入しようとする需要者は、棚から商品が収納された収納箱を取り出して、各面に記載されている商品表示印刷（ＰＯＰ）等の商品情報を確認しなければならないという問題点があった。さらに、収納箱が棚に、ほぼ隙間なく「ぎっちり」詰まっている状態から、需要者が希望する収納箱を取り出すためには、需要者が希望する商品が収納された収納箱を採択して、当該収納箱を力任せに引き出さなければならず、需要者の負担がきわめて多くなる。
【００１０】
本考案は、かかる技術的事情に鑑みてなされたものであって、需要者が、棚から商品が収納された収納箱を取り出して、各面に記載されている商品表示印刷（ＰＯＰ）等の商品情報を確認することなく、各面に記載されている商品表示印刷（ＰＯＰ）等の商品情報を一目で確認することができる収納容器構造体を提供することにある。
【００１１】
また、本考案は、小売り等の商品販売者が所有する店内スペースを最大限に活用し、商品を陳列して、商品を販売するためのディスプレイ効果を高めた取扱いにきわめて優れた収納容器構造体を提供することにある。
【課題を解決するための手段】
【００１２】
本件考案者等は、鋭意検討を行った結果、複数の収納容器を組み合わせて、収納容器構造体とすることにより、収納容器の各面に表示された商品表示印刷（ＰＯＰ）等の商品情報を一目で表示することができることを見出し、本考案を完成するに至った。より具体的には、本考案は、以下の技術的事項から構成される。
【００１３】
（１）  複数の収納容器から構成される収納容器構造体であって、
前記収納容器が組み合わされることにより、前記収納容器構造体の表示面が形成され、
前記収納容器の各面に表示された情報が一体となって、前記収納容器に収納されている商品の商品情報が表示されていることを特徴とする収納容器構造体。
【００１４】
（２）  前記収納容器は、上蓋部に吊り下げ用タブを備えていることを特徴とする（１）に記載の収納容器構造体。
【００１５】
（３）  前記収納容器は、全体が単一の型板で形成されていることを特徴とする（１）又は（２）に記載の収納容器構造体。
【考案の効果】
【００１６】
本考案によれば、収納容器の各面に表示された商品表示印刷（ＰＯＰ）等の商品情報を一目で表示することができる収納容器構造体が提供される。また、本考案によれば、小売り等の商品販売者が所有する店内スペースを最大限に活用し、商品を陳列し、販売するためのディスプレイ効果を高めた収納容器構造体が提供される。
【図面の簡単な説明】
【００１７】
【図１】本考案の収納容器構造体の斜視図である。
【図２】本考案の収納容器構造体を形成する収納容器の斜視図である。
【図３】本考案の収納容器構造体を形成する収納容器の展開図である。
【図４】収納容器の各面に表示された情報を示した六面図である。
【図５】本考案の収納容器構造体の表示面に商品情報が示された状態を示した図である。
【図６】本考案の収納容器構造体を使用した陳列の一態様を示したモデル図である。
【考案を実施するための形態】
【００１８】
以下、適宜図面を参照しながら、本考案の好適な実施形態について詳細に説明する。なお、以下に説明する実施形態は、実用新案登録請求の範囲に記載された本考案の内容を限定するものではない。また、以下に説明される構成の全てが、本考案の必須要件であるとは限らない。
【００１９】
＜第１実施形態＞
図１は、本考案に係る収納容器構造体１の斜視図である。図１に示されるように収納容器構造体１は、複数の収納容器１０から構成されている。図１に示された収納容器構造体１は、２つの収納容器１０Ａと、１０Ｂとから構成されている。収納容器１０Ａは、商品購入者である需要者から見たときに、表面が表示されるように陳列されている。収納容器１０Ｂは、商品購入者である需要者から見たときに、右側面が表示されるように陳列されている。
【００２０】
収納容器１０Ａと、１０Ｂとがこのように陳列されることにより、収納容器構造体１となる。収納容器構造体１は、商品購入者である需要者から見たときに、収納容器１０Ａと１０Ｂとが一体となって形成される商品表示情報を提供するための表示面Ｄを有している。かかる表示面Ｄに収納容器１０に収納されている商品の商品情報が表示される。表示面Ｄに表示されている商品情報は、収納容器１０の各面に表示されている商品情報が結合したものとなっているため、商品購入者である需要者は、一見して商品情報を把握することができる。
【００２１】
表示面Ｄに表示されている商品情報は、収納容器１０の各面に表示されている商品情報が結合したものとなっているため、商品購入者である需要者は、収納容器１０を棚から１個づつ取り出すことなく、商品購入者である需要者は、一見して商品情報を把握することができる。
【００２２】
例えば、図１に示された収納容器構造体１は、レインコートが収納された収納容器１０Ａと、１０Ｂとから構成されており、収納容器１０Ａの表面に表示されたレインコートの右上半身概略を示した写真と、収納容器１０Ｂの右側面に表示されたレインコートの左半身概略を示した写真とかが結合して、レインコート上着の全体概略表示することができる。
【００２３】
このように本考案の収納容器構造体１は、複数の収納容器から構成され、複数の収納容器が組み合わされることにより、収納容器構造体の表示面が形成され、この表示面に収納容器に収納されている商品の商品情報が表示される点に技術的特徴を有する。
【００２４】
したがって、本考案の収納容器構造体１は、複数の収納容器が組み合わされることにより、収納容器構造体の表示面が形成され、この表示面に収納容器に収納されている商品の商品情報が表示されるように、収納容器構造体１を構成する収納容器の表示面に商品情報を印刷することが必要となる。なお、収納容器構造体１を構成する収納容器１０の個数は、複数の収納容器が組み合わされることにより、収納容器構造体の表示面が形成されればよく、特に制限されるものではない。収納容器構造体１を構成する収納容器１０の個数は、収納容器の形状、収納容器構造体の表示面に表示される商品情報により適宜変更することができる。
【００２５】
例えば、３つの収納容器から構成される収納容器構造体１としてもよく、３つの収納容器の表面より形成される表示面に商品情報を表示してもよい。なお、収納容器１０に収納される商品は、特に限定されない。例えば、衣料（レインコート）、食品、玩具、書籍、ＤＶＣ、ＣＤ等の電子記録媒体などであってもよい。本考案の収納容器構造体１が表示する商品情報とは、商品の形態（形状、大きさ、色彩）、商品の機能、商品の使用状態、商品の価格等を例示することができる。
【００２６】
図２は、本考案の収納容器構造体１を構成する収納容器１０の斜視図である。図２に示されるように、収納容器１０は、商品購入者である需要者から見て、右側面板部１２、表面側板部１４、左側面板部１６、裏面側板部１８、扉状上蓋部２０、及び底板部２４を備えている。収納容器１０は、扉状上蓋部２０の中央部に吊り下げ用タブ  スリット２０Ｓから上部垂直方向に突出した吊り下げ用タブ２２を備えている。吊り下げ用タブ２２は、フック金具等を挿入して商品容器を陳列するためのフック孔２６を有している。
【００２７】
図３は、本考案の収納容器構造体１を構成する収納容器１０の展開図である。図３に示されるように収納容器１０は、右側面板部１２、表面側板部１４、左側面板部１６、裏面側板部１８、扉状上蓋部２０、及び底板部２４の六面からなる板部を備えている。
【００２８】
右側面板部１２は、その上部に収納容器１０の中蓋を形成する右側面中蓋２０４と、その底面部に収納容器１０の底板部２４を形成する右側面底板部２４４を備えている。右側面底板部２４４は、右側面底板部右側中板部２４５を有している。右側面板部１２は、当該右側面板部１２と裏側面板部１８を接合して、収納容器１０とするための接続部Ｊを有している。
【００２９】
右側面中蓋２０４は、その中央部に上下方向に延びた吊り下げ用タブ２２を把持して固定するための吊り下げ用タブ固定スリット（右側）２０４Ｓを有している。吊り下げ用タブ固定スリット（右側）２０４Ｓは、右側面中蓋２０４の上辺中央部から底面部に向かって、垂直にスリット上に延び、右側面中蓋２０４の中心部まで切り込まれることにより形成されている。
【００３０】
表面側板部１４は、その上部に収納容器１０の上蓋となる扉状上蓋部２０と、その底面部に収納容器１０の底板部２４を形成する最表面の表側面板部２４１から構成されている。扉状上蓋部２０は、その中央部に左右方向に延びる吊り下げ用タブ  スリット２０Ｓを備えている。さらに、扉状上蓋部２０は、当該扉状上蓋部２０と裏面側板部とを固定するために用いられる裏側面係止突出片２１を備えている。表側面板部２４１は、左右両端に表側面板右側中板部２４２と、表側側面板左側中板部２４３とを備えている。
【００３１】
左側面板部１６は、その上部に収納容器１０の中蓋を形成する左側面中蓋２０３と、その底面部に収納容器１０の底板部２４を形成する左側面底板部２４６を備えている。左側面底板部２４６は、左側面底板部左側中板部２４７を有している。
【００３２】
右側面中蓋２０３は、その中央部に上下方向に延びた吊り下げ用タブ２２を把持して固定するための吊り下げ用タブ固定スリット（右側）２０３Ｓを有している。吊り下げ用タブ固定スリット（右側）２０３Ｓは、右側面中蓋２０３の上辺中央部から底面部に向かって、垂直にスリット上に延び、右側面中蓋２０３の中心部まで切り込まれることにより形成されている。
【００３３】
裏側面板部１８は、収納容器１８が備えている扉状上部蓋部の底面に形成され、底蓋となる底面側底蓋２０１と、表面側底蓋２０２と、底板部２４を構成する裏側面底板部２４８とを備えている。さらに裏側面板部１８は、収納容器１の裏面１８と表面１４とを係止するための裏面側係止用突出片１８２を有している。底面側底蓋２０１は、吊り下げ用タブの底面側となる吊り下げ用タブ片２２Ｂと、吊り下げ用タブの表面側となる吊り下げ用タブ片２２Ａとを有している。吊り下げ用タブ片２２Ｂは、フック孔２６Ｂを有しており、吊り下げ用タブ片２２Ａは、フック孔２６Ａを有している。
【００３４】
図３に示された収納容器１０の展開図において、右側面板部１２、表面側板部１４、    左側面板部１６、裏面側板部１８、扉状上蓋部２０、吊り下げ用タブ２２、及び底板部
２４は、ａ１〜ａ１８（鎖線）を介して連接している。ａ１〜ａ１８（実線）は、山折り線であり、これらの山折り線に従って、山折りを行う。このようにして、収納容器１０が立体的に立ち上がることとなる。
【００３５】
裏面側板部１８に連接している底面側底蓋２０１と、吊り下げ用タブ片（裏面側）２２Ｂは、ｂ１（一点鎖線）を介して連接している。ｂ１（一点鎖線）は、谷折り線であり、当該ｂ１（一点鎖線）に従って谷折りとすることにより、吊り下げ用タブ片（裏面側）２２Ｂが上部方向に立ち上がる。同様にして、表面側底蓋２０２と、吊り下げ用タブ片（表面側）２２Ａは、ｂ２（一点鎖線）を介して連接している。ｂ２（一点鎖線）は、谷折り線であり、当該ｂ２（一点鎖線）に従って谷折りとすることにより、吊り下げ用タブ片（裏面側）２２Ａが上部方向に立ち上がる。このようして、立ち上がった吊り下げ用タブ片（表面側）２２Ａと吊り下げ用タブ片（裏面側）２２Ｂを貼り合わせることにより、山折り線ａ８を山の頂点として、吊り下げ用タブ２２が形成される。吊り下げ用タブ片（表面側）２２Ａと吊り下げ用タブ片（裏面側）２２Ｂとが貼り合わされることにより、フック孔２６Ａの外周とフック孔２６Ｂとの外周が一致することになり、フック孔２６が形成される。
【００３６】
形成された吊り下げ用タブ２２は、当該吊り下げ用タブ２２の左右両端となる吊り下げ用タブ  固定スリット（左側）２０３Ｓ、及固定スリット（左側）２０３Ｓに挿通される。吊り下げ用タブ２２は、固定スリット（左側）２０３Ｓ及び固定スリット（右側）に把持されて、固定化される。さらに、吊り下げ用タブ２２は、扉状上蓋部２０に設けられた吊り下げ用タブ  スリット２０Ｓに挿入され、固定化される。収納容器を吊り下げタイプとし、収納容器に収納されている商品の重量にも耐え得ることができる。
【００３７】
扉状上蓋部２０に設けられた裏側面係止用突出片２１は、裏面側板部１８に設けられた上蓋係止用突出片スリット１８Ｓに挿入される。裏側面係止用突出片１８２は、裏側面係止用突出片スリット２１Ｓに挿入される。収納容器１０は、表面から裏面、裏面から表面それぞれに係止片とスリットを設けて、収納されている商品の脱落を防止している。このような構造を有する収納容器１０が収納容器構造体１の構成要素となっている。
なお、収納容器１０の大きさは、収納容器に収納される商品、収納容器の規格によって適宜設定することができる。本考案の収納容器構造体は、レインコート用の収納容器を基本とするものである。この場合の収納容器構造体の大きさは、（たて×よこ×奥行き）の順にて、２４センチ×１６センチ×８センチである。
【００３８】
図４は、収納容器の各面に表示された情報を示した六面図である。収納容器構造体１を構成する収納容器は、全体が単一の型板で形成されている。このため、収納容器構造体１に形成されている表面に表示される商品情報を検討して、収納容器１０の各面に記載することが必要となる。具体的には、収納容器構造体１を構成する収納容器の個数を選定し、複数の収納容器が有している六面のうち、いかなる面を使用して、収納容器構造体１の商品情報を表示するための表示面とするかを決定する。
【００３９】
＜第２実施形態＞
図５は、収納容器構造体１の表示面に商品情報が示された状態を示した図である。図５に示されたように収納容器構造体１は、収納容器１０Ｃと１０Ｄの２つの収納容器から構成されており、商品購入者である需要者から見たときに、収納容器１０Ｃと１０Ｄとが一体となって形成される商品表示情報を提供するための表示面４を有している。表示面４は、収納容器１０Ｃを裏面となるように陳列し、収納容器１０Ｄが左側面となるように収納容器が組み合わされて形成される。
【００４０】
図５に示された収納容器構造体１は、収納容器１０Ｃの裏面が有する商品情報と収納容器１０の左側面が有する商品情報とが一体となって、収納容器に収納されている商品の商品情報を一見して把握することができる。また、第１実施形態の収納容器構造体１と第２実施形態の収納容器構造体１とを組み合わせて、陳列棚に陳列してもよい。このような実施態様とすることにより、商品が収納されている収納容器の各面に表示されたすべての商品情報を把握することができる。
【００４１】
＜第３実施形態＞
図６は、本考案の収納容器構造体１の表示面Ｄに商品情報が示された状態を示した図である。具体的には、複数の収納容器から構成される種々の収納容器構造体１を作製し、これらを商品陳列棚に陳列した態様である。上段の収納容器構造体１は、収納容器１０Ａと１０Ｂから構成されている。収納容器１０Ａは、商品購入者である需要者から見たときに、表面が表示されるように陳列されている。収納容器１０Ｂは、商品購入者である需要者から見たときに、右側面が表示されるように陳列されている。収納容器１０Ａ、１０Ｂが組み合わさることにより、収納容器構造体の表示面が形成され、前記表示面に前記収納容器の各面に表示された情報が一体となって、商品の商品情報が表示されている。
【００４２】
中段の収納容器構造体１は、収納容器１０Ｃと１０Ｄから構成されている。収納容器１０Ｃは、商品購入者である需要者から見たときに、表面が表示されるように陳列されている。収納容器１０Ｄは、商品購入者である需要者から見たときに、左側面が表示されるように陳列されている。なお、下段の収納容器構造体１を、収納容器１０Ｅと１０Ｆから構成し、収納容器１０Ｅを商品購入者である需要者から見たときに、裏面が表示されるように陳列し、収納容器１０Ｄを商品購入者である需要者から見たときに、右側面が表示されるように陳列してもよい。
【００４３】
本考案の収納容器構造体は、複数の収納容器から構成されている。各収納容器は、その上部に吊り下げ用タブを備えている。かかる吊り下げ用タブを活用して、フック孔にフック金具（図示せず）を挿通することにより、収納容器をストックすることができる。また、吊り下げ用タブをフック孔との関係において、電子制御等により回転可能な状態とし、表示面を形成し、収納容器構造体を適宜変化させることができる。
【００４４】
また、本考案の収納容器構造体は、吊り下げ用タブを活用しなくてもよい。かかる収納容器構造体の場合には、底板部が載置面に固定されて、複数の収納容器によって、商品表示面が形成されればよい。
【符号の説明】
【００４５】
１        収納容器構造体
２        フック金具
３        収納容器構造体陳列棚
４        機能性レインコート（商品）
Ｄ        表示面
１０      収納容器
１２      右側面板部
１４      表面側板部
１６      左側面板部
１８      裏面側板部
１８２    裏側面係止用突出片
１８Ｓ    上蓋係止用突出片  スリット
Ｊ        接続部
２０      扉状上蓋部
２０Ｓ    吊り下げ用タブ  スリット
２１      裏側面係止用突出片  
２１Ｓ    裏側面係止用突出片  スリット
２０１    底面側底蓋
２０２    表面側底蓋
２０３    左側面中蓋
２０３Ｓ  吊り下げ用タブ  固定スリット（左側）
２０４    右側面中蓋
２０４Ｓ  吊り下げ用タブ  固定スリット（右側）
２２      吊り下げ用タブ
２２Ａ    吊り下げ用タブ片（表面側）
２２Ｂ    吊り下げ用タブ片（裏面側）
２４      底板部
２４１    表側面底板部
２４２    表側面板右側中板部
２４３    表側面板左側中板部
２４４    右側面底板部
２４５    右側面底板部右側中板部
２４６    左側面底板部
２４７    左側面底板部左側中板部
２４８    裏側面底板部
２４９    裏側面底板部中央板部
２６      フック孔
２６Ａ    フック孔（裏側面）
２６Ｂ    フック孔（表側面）
ａ１〜１８  山折り線
ｂ１〜  ２  谷折り線
【産業上の利用可能性】
【００４６】
本考案の収納容器構造体によれば、収納容器の各面に表示された商品表示印刷（ＰＯＰ）等の商品情報を一目で表示することができる。また、本考案の収納容器構造体によれば、小売り等の商品販売者が所有する店内スペースを最大限に活用し、商品を陳列し、販売するためのディスプレイ効果を高めることができる。したがって、本考案は、あらゆる製造業のみならず、小売り等のサービス関連産業の発達に大いに貢献する。
【図１】
0003200700.tif 000003
【図２】
0003200700.tif 000004
【図３】
0003200700.tif 000005
【図４】
0003200700.tif 000006
【図５】
0003200700.tif 000007
【図６】
0003200700.tif 000008